(57)【要約】      （修正有）【課題】特に径方向に沿って調整できるヘッドを備えることにより、ヘッドに装着されたカッターが径方向に移動し、長径な穴の加工を行うことができる中ぐり切削工具を提供する。【解決手段】縦方向に配置される挿設軸２１と、該挿設軸の上部から径方向に向かって延出する延出部２２と、該延出部の外端から上側に向かって延出するカッター設置部２３と、該カッター設置部に嵌設されるカッター２４と、を有することを特徴として構成する。【選択図】図１
0003159159.tif 000002
【実用新案登録請求の範囲】
【請求項１】
縦方向に配置される挿設軸と、該挿設軸の上部から径方向に向かって延出する延出部と、該延出部の外端から上側に向かって延出するカッター設置部と、該カッター設置部に嵌設されるカッターと、を有することを特徴とする中ぐり切削工具。
【請求項２】
前記延出部は、外端に延出盤体が設けられ、
前記カッター設置部は、前記延出盤体と対応するように、交換可能に該延出部の延出盤体に設置され、該延出盤体に螺合される組立円盤と、該延出部の延出する方向に沿って該組立円盤の上面から傾斜状に延出するカッター延出部と、該カッター延出部の外端側面に凹設される嵌合凹部とを備え、
前記カッターが、前記カッター設置部の嵌合凹部に嵌設されることを特徴とする請求項１に記載の中ぐり切削工具。
【請求項３】
前記延出部は、前記延出盤体の外端面に形成される結合端面と、該結合端面の中央に凸設される嵌合凸部と、該嵌合凸部の中央に凹設される結合螺合孔とを備え、
前記カッター設置部は、内面が前記結合端面に当接されると共に、前記嵌合凸部と対応して嵌合凸部に嵌合され、前記組立円盤に凹設される嵌合凸部と、前記内面の結合螺合孔と対応する箇所に貫穿される結合貫通孔と、該結合貫通孔を通過して結合螺合孔に螺合される結合ボルトと、を備えることを特徴とする請求項２に記載の中ぐり切削工具。
【請求項４】
前記延出部が、上面中央に貫穿される長型の調整長孔を備えることを特徴とする請求項１乃至３の何れか１項に記載の中ぐり切削工具。
【請求項５】
縦方向に配置される結合軸と、該結合軸の上部に形成され、上面に長型の位置決め孔が貫穿されると共に、該位置決め孔の長手方向に沿った上面周囲に固定螺合孔が貫穿される結合ヘッドと、該固定螺合孔に螺合される固定ボルトとを有する装着部材と、
前記位置決め孔に挿設されると共に、上部が前記結合ヘッドの上面を通過する挿設軸と、前記固定ボルトを通過させるため、前記固定螺合孔と対応するように、上面中央に貫穿される長型の調整長孔を備えると共に、該挿設軸の上部から該固定螺合孔に向かって延出する延出部と、該延出部の外端から上側に向かって延出するカッター設置部と、該カッター設置部に嵌設されるカッターとを備える切削部材と、を有することを特徴とする中ぐり切削工具。
【請求項６】
前記延出部は、外端に延出盤体が設けられ、
前記カッター設置部は、前記延出盤体と対応するように、交換可能に該延出部の延出盤体に設置され、該延出盤体に螺合される組立円盤と、該延出部の延出する方向に沿って、該組立円盤の上面から傾斜的に延出するカッター延出部と、該カッター延出部の外端側面に凹設される嵌合凹部とを備え、
前記カッターは、前記カッター設置部の嵌合凹部に嵌設されることを特徴とする請求項５に記載の中ぐり切削工具。
【請求項７】
前記延出部は、前記延出盤体の外端面に設けられる結合端面と、該結合端面の中央に凸設される嵌合凸部と、該嵌合凸部の中央に凹設される結合螺合孔とを備え、
前記カッター設置部は、内面が前記結合端面に当接されるように、前記嵌合凸部に嵌合されると共に、前記組立円盤に凹設される嵌合凸部と、前記内面の結合螺合孔と対応する箇所に貫穿される結合貫通孔と、該結合貫通孔を通過して該結合螺合孔に螺合される結合ボルトと、を備えることを特徴とする請求項６に記載の中ぐり切削工具。
【請求項８】
前記結合ヘッドは、前記結合軸より大径の円柱を呈し、径方向に沿って外周面に貫穿される貫通孔と、該貫通孔と連通するように、上面から貫穿される前記位置決め孔と、を備え、
前記装着部材は、前記位置決め孔と連通すると共に、径方向に沿って外周面に貫穿される結合孔と、該結合孔と連通するように、一方の端面の上部及び下部に穿設される当接螺合孔と、他方の端面に凹設される調整螺合孔とを備えると共に、前記結合ヘッドの貫通孔において移動可能に横方向に配置される円柱体の移動柱体と、内面に向かって該調整螺合孔に螺合される調整螺柱を備えると共に、該調整螺合孔と対応する前記貫通孔の他方の端面に設置される調整円盤とを有し、
前記挿設軸は、下部外周面における、前記２つの当接螺合孔と対応する箇所に凹設され、前記移動柱体の結合孔と対応し、前記２つの当接螺合孔に夫々螺合される２つの当接ボルトの内端に当接する当接面部を備えることを特徴とする請求項５乃至７の何れか１項に記載の中ぐり切削工具。
【考案の詳細な説明】
【技術分野】
【０００１】
本考案は、特にホルダにより切削機械の軸部に設置され、切削機械により回転することにより、切削部材に穴を切削することができる切削工具に関するものである。
【背景技術】
【０００２】
図１１に示すように、従来の中ぐり切削工具は通常、結合軸の上面に装着されるカッターによって、穴を開けるものであった。
【考案の概要】
【考案が解決しようとする課題】
【０００３】
しかしながら、従来の中ぐり切削工具の構成は、カッターが既定の箇所にしか装着できなく、径方向においての調整ができないことから、例えば、径方向に長い穴を開ける場合には、適宜なサイズのカッターを使用しなければならなく、即ち、様々な異なるサイズのカッターを用意する必要であるので、使用者に対して非常に不便であった。
【０００４】
そこで、案出されたのが本考案であって、径方向に調整できるヘッドに装着されたカッターにより、径方向に自由に移動させ、長径な穴を加工する中ぐり切削工具を提供することを目的とする。
【課題を解決するための手段】
【０００５】
本願の請求項１の考案は、縦方向に配置される挿設軸と、該挿設軸の上部から径方向に向かって延出する延出部と、該延出部の外端から上側に向かって延出するカッター設置部と、該カッター設置部に嵌設されるカッターと、を有することを特徴とする中ぐり切削工具、を提供する。
【０００６】
本願の請求項２の考案は、前記延出部は、外端に延出盤体が設けられ、
前記カッター設置部は、前記延出盤体と対応するように、交換可能に該延出部の延出盤体に設置され、該延出盤体に螺合される組立円盤と、該延出部の延出する方向に沿って該組立円盤の上面から傾斜状に延出するカッター延出部と、該カッター延出部の外端側面に凹設される嵌合凹部とを備え、
前記カッターが、前記カッター設置部の嵌合凹部に嵌設されることを特徴とする請求項１に記載の中ぐり切削工具、を提供する。
【０００７】
本願の請求項３の考案は、前記延出部は、前記延出盤体の外端面に形成される結合端面と、該結合端面の中央に凸設される嵌合凸部と、該嵌合凸部の中央に凹設される結合螺合孔とを備え、
前記カッター設置部は、内面が前記結合端面に当接されると共に、前記嵌合凸部と対応して嵌合凸部に嵌合され、前記組立円盤に凹設される嵌合凸部と、前記内面の結合螺合孔と対応する箇所に貫穿される結合貫通孔と、該結合貫通孔を通過して結合螺合孔に螺合される結合ボルトと、を備えることを特徴とする請求項２に記載の中ぐり切削工具、を提供する。
【０００８】
本願の請求項４の考案は、前記延出部が、上面中央に貫穿される長型の調整長孔を備えることを特徴とする請求項１乃至３に何れか１項に記載の中ぐり切削工具、を提供する。
【０００９】
本願の請求項５の考案は、縦方向に配置される結合軸と、該結合軸の上部に形成され、上面に長型の位置決め孔が貫穿されると共に、該位置決め孔の長手方向に沿った上面周囲に固定螺合孔が貫穿される結合ヘッドと、該固定螺合孔に螺合される固定ボルトとを有する装着部材と、
前記位置決め孔に挿設されると共に、上部が前記結合ヘッドの上面を通過する挿設軸と、前記固定ボルトを通過させるため、前記固定螺合孔と対応するように、上面中央に貫穿される長型の調整長孔を備えると共に、該挿設軸の上部から該固定螺合孔に向かって延出する延出部と、該延出部の外端から上側に向かって延出するカッター設置部と、該カッター設置部に嵌設されるカッターとを備える切削部材と、を有することを特徴とする中ぐり切削工具、を提供する。
【００１０】
本願の請求項６の考案は、前記延出部は、外端に延出盤体が設けられ、
前記カッター設置部は、前記延出盤体と対応するように、交換可能に該延出部の延出盤体に設置され、該延出盤体に螺合される組立円盤と、該延出部の延出する方向に沿って、該組立円盤の上面から傾斜的に延出するカッター延出部と、該カッター延出部の外端側面に凹設される嵌合凹部とを備え、
前記カッターは、前記カッター設置部の嵌合凹部に嵌設されることを特徴とする請求項５に記載の中ぐり切削工具、を提供する。
【００１１】
本願の請求項７の考案は、前記延出部は、前記延出盤体の外端面に設けられる結合端面と、該結合端面の中央に凸設される嵌合凸部と、該嵌合凸部の中央に凹設される結合螺合孔とを備え、
前記カッター設置部は、内面が前記結合端面に当接されるように、前記嵌合凸部に嵌合されると共に、前記組立円盤に凹設される嵌合凸部と、前記内面の結合螺合孔と対応する箇所に貫穿される結合貫通孔と、該結合貫通孔を通過して該結合螺合孔に螺合される結合ボルトと、を備えることを特徴とする請求項６に記載の中ぐり切削工具、を提供する。
【００１２】
本願の請求項８の考案は、前記結合ヘッドは、前記結合軸より大径の円柱を呈し、径方向に沿って外周面に貫穿される貫通孔と、該貫通孔と連通するように、上面から貫穿される前記位置決め孔と、を備え、
前記装着部材は、前記位置決め孔と連通すると共に、径方向に沿って外周面に貫穿される結合孔と、該結合孔と連通するように、一方の端面の上部及び下部に穿設される当接螺合孔と、他方の端面に凹設される調整螺合孔とを備えると共に、前記結合ヘッドの貫通孔において移動可能に横方向に配置される円柱体の移動柱体と、内面に向かって該調整螺合孔に螺合される調整螺柱を備えると共に、該調整螺合孔と対応する前記貫通孔の他方の端面に設置される調整円盤とを有し、
前記挿設軸は、下部外周面における、前記２つの当接螺合孔と対応する箇所に凹設され、前記移動柱体の結合孔と対応し、前記２つの当接螺合孔に夫々螺合される２つの当接ボルトの内端に当接する当接面部を備えることを特徴とする請求項５乃至７に何れか１項に記載の中ぐり切削工具、を提供する。
【考案の効果】
【００１３】
本考案は上記の課題を解決するものであり、径方向に調整できるヘッドに装着されたカッターにより、径方向に自由に移動させ、長径な穴を加工する中ぐり切削工具を提供することを目的とする。
【図面の簡単な説明】
【００１４】
【図１】本考案に係る中ぐり切削工具の第１実施例における切削部材の斜視図である。
【図２】本考案に係る中ぐり切削工具の第１実施例における部分分解斜視図である。
【図３】本考案に係る中ぐり切削工具の第１実施例における部分断面図である。
【図４】本考案に係る中ぐり切削工具の第１実施例における調整状態を示す部分断面図である。
【図５】本考案に係る中ぐり切削工具の第２実施例における切削部材の斜視図である。
【図６】本考案に係る中ぐり切削工具の第２実施例における切削部材の部分分解斜視図である。
【図７】本考案に係る中ぐり切削工具の第２実施例における部分分解斜視図である。
【図８】本考案に係る中ぐり切削工具の第２実施例における部分断面図である。
【図９】本考案に係る中ぐり切削工具の第２実施例におけるカッター設置部（２３）を交換する状態を示す斜視図である。
【図１０】本考案に係る中ぐり切削工具の第２実施例における調整状態を示す斜視図である。
【図１１】従来の中ぐり切削工具の斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１は本考案に係る中ぐり切削工具の第１実施例における切削部材の斜視図であり、図２は本考案に係る中ぐり切削工具の第１実施例における部分分解斜視図であり、図３は本考案に係る中ぐり切削工具の第１実施例における部分断面図であり、図４は本考案に係る中ぐり切削工具の第１実施例における調整状態を示す部分断面図であり、図５は本考案に係る中ぐり切削工具の第２実施例における切削部材の斜視図であり、図６は本考案に係る中ぐり切削工具の第２実施例における切削部品の部分分解斜視図であり、図７は本考案に係る中ぐり切削工具の第２実施例における部分分解斜視図であり、図８は本考案に係る中ぐり切削工具の第２実施例における部分断面図であり、図９は本考案に係る中ぐり切削工具の第２実施例におけるカッター設置部を交換する状態を示す斜視図であり、図１０は本考案に係る中ぐり切削工具の第２実施例における調整状態を示す斜視図である。
【００１７】
図１乃至図３に示すように、本考案に係る中ぐり切削工具の第１実施例は、装着部材（１０）と、切削部材（２０）とを備え、その内、装着部材（１０）は、縦方向に配置される円柱状の結合軸（１１）と、該結合軸（１１）の上部に形成され、径方向に沿って外周面に貫穿される貫通孔（１２１）と、該貫通孔（１２１）と連通するように、上面から貫穿される長型の位置決め孔（１２２）と、該位置決め孔（１２２）の長手方向に沿った上面周囲に穿設される固定螺合孔（１２３）とを含む、結合軸（１１）より大径の円柱を呈する結合ヘッド（１２）と、を備えるものである。
【００１８】
さらに、前記装着部材（１０）は、前記位置決め孔（１２２）と連通すると共に、径方向に沿って外周面に貫穿される結合孔（１３１）と、該結合孔（１３１）と連通するように、一方の端面の上部及び下部に穿設される当接螺合孔（１３２）と、他方の端面に凹設される調整螺合孔（１３３）と、該２つの当接螺合孔（１３２）に夫々螺合される当接ボルト（１３４）と、前記切削部材（２０）を通過するように、該固定螺合孔（１２３）に螺合される固定ボルト（１３５）とを備えると共に、該結合ヘッド（１２）の貫通孔（１２１）において移動可能に横方向に配置される円柱体の移動柱体（１３）と、該移動柱体（１３）が該貫通孔（１２１）に沿って移動させるために、該調整螺合孔（１３３）に螺合されるように、該調整螺合孔（１３３）と対応する該貫通孔（１２１）の他方の端面に設置され、内面に延出する調整螺柱（１４１）を備える調整円盤（１４）と、を有するものである。
【００１９】
前記切削部材（２０）は、前記装着部材（１０）に安定的に設置するために、前記位置決め孔（１２２）及び移動柱体（１３）の結合孔（１３１）に挿設されると共に、その上部が前記結合ヘッド（１２）の上面を通過し、下部外周面の前記２つの当接螺合孔（１３２）と対応する箇所に凹設されるように、前記２つの当接ボルト（１３４）の内端に当接する当接面部（２１１）を備える円柱状の挿設軸（２１）と、該挿設軸（２１）の上部から固定螺合孔（１２３）に向かって延出すると共に、下面が該結合ヘッド（１２）の上面に当接するように、前記固定ボルト（１３５）を介して上面中央の前記固定螺合孔（１２３）と対応する箇所に貫穿される、長型の調整長孔（２２１）を備える延出部（２２）と、上部側面に凹設される嵌合凹部（２３１）を備え、該延出部（２２）の外端から上側に向かって延出するカッター設置部（２３）と、該嵌合凹部（２３１）に嵌設されるカッター（２４）と、を有するものである。
【００２０】
図５乃至図８に示すように、本考案に係る中ぐり切削工具の第２実施例は、装着部材（１０）と、切削部材（２０）とを備え、その内、該装着部材（１０）の構成は、第一実施例と同一であるので、それらの説明は省略する。また、前記切削部材（２０）は、第一実施例の挿設軸（２１）と同一の挿設軸（２１）と、延出部（２２）と、カッター設置部（２３）と、カッター（２４）とを備えるものである。
【００２１】
前記延出部（２２）は、前記挿設軸（２１）の上部から前記固定螺合孔（１２３）に向かって延出し、下面を前記結合ヘッド（１２）の上面に当接し、前記固定ボルト（１３５）を通過させるために、上面中央の該固定螺合孔（１２３）と対応する箇所に貫穿される長型の調整長孔（２２１）と、外端に形成される延出盤体（２２２）と、該延出盤体（２２２）の外端面に形成される結合端面（２２３）と、該結合端面（２２３）の中央に凸設される横方向の長型の嵌合凸部（２２４）と、該嵌合凸部（２２４）の中央に凹設される結合螺合孔（２２５）と、を備えるものである。
【００２２】
前記カッター設置部（２３）は、交換可能に前記延出部（２２）の延出盤体（２２２）に設置され、内面が前記結合端面（２２３）に当接し、該延出盤体（２２２）と対応するように、前記延出盤体（２２２）に螺合される組立円盤（２３１Ａ）と、前記嵌合凸部（２２４）と対応して嵌合凸部（２２４）に嵌合されると共に、該組立円盤（２３１Ａ）に凹設されるように、上面及び下面が傾斜状に形成される横方向の長型の嵌合凸部（２３２）と、内面の前記結合螺合孔（２２５）と対応する箇所に貫穿される結合貫通孔（２３３）と、カッター設置部（２３）を延出部（２２）に安定的に結合させるために、該結合貫通孔（２３３）を介して前記結合螺合孔（２２５）に螺合される結合ボルト（２３４）と、該延出部（２２）の延出する方向に沿って該組立円盤（２３１Ａ）の上面から傾斜状に延出するカッター延出部（２３５）と、該カッター延出部（２３５）の外端側面に凹設される嵌合凹部（２３６）と、を備え、該カッター（２４）は、前記カッター設置部（２３）の嵌合凹部（２３６）に嵌設される。
【００２３】
本考案に係る中ぐり切削工具を使用する時は、挿設軸（２１）をホルダを介して切削機械の軸部に設置すると共に、その切削機械によって回転する切削部材（２０）におけるカッター（２４）を用いて穴を切削する。
【００２４】
さらに、図５及び図９を示すように、本考案に係る中ぐり切削工具の第２実施例の切削部材（２０）は、カッター設置部（２３）が交換可能な状態で延出部（２２）に設置されるので、結合ボルト（２３４）を緩めてカッター設置部（２３）を取り外せば、該延出部（２２）の結合端面（２２３）に異なるタイプのカッター設置部（２３Ａ）と交換することができると共に、そのカッター設置部（２３Ａ）は、カッター設置部（２３）のカッター延出部（２３５）より更に径方向の外側に延出するカッター延出部（２３５Ａ）を備えるので、カッター延出部（２３５Ａ）に嵌合されるカッター（２４）により、切削できる穴の範囲が増大することができる。
【００２５】
図４及び図１０を示すように、本考案に係る中ぐり切削工具は、切削部材（２０）を装着部材（１０）に対して調整する時に、固定ボルト（１３５）を緩めて調整円盤（１４）を回転させれば、移動柱体（１３）を貫通孔（１２１）に沿って移動させることができる。即ち、前記切削部材（２０）は、移動柱体（１３）と連動するので、該移動柱体（１３）の移動により、カッター（２４）を径方向の外側に移動させ、所定の位置に調整すれば、固定ボルト（１３５）を装着して穴を切削することができる。
【産業上の利用可能性】
【００２６】
本考案に係る中ぐり切削工具は上記の構成を有するので、径方向に沿って調整できるヘッドに装着されたカッターを径方向に移動させることにより、長径な穴の加工を行うことができる。
【符号の説明】
【００２７】
１０          装着部材
１１          結合軸
１２          結合ヘッド
１２１        貫通孔
１２２        位置決め孔
１２３        固定螺合孔
１３          移動柱体
１３１        結合孔
１３２        当接螺合孔
１３３        調整螺合孔
１３４        当接ボルト
１３５        固定ボルト
１４          調整円盤
１４１        調整螺柱
２０          切削部材
２１          挿設軸
２１１        当接面
２２          延出部
２２１        調整長孔
２２２        延出盤体
２２３        結合端面
２２４        嵌合凸部
２２５        結合螺合孔
２３，２３Ａ  カッター設置部
２３１        嵌合凹部
２３１Ａ      組立円盤
２３２        嵌合凸部
２３３        結合貫通孔
２３４        結合ボルト
２３５,２３５Ａ  カッター延出部
２３６        嵌合凹部
２４          カッター
【図１】
0003159159.tif 000003
【図２】
0003159159.tif 000004
【図３】
0003159159.tif 000005
【図４】
0003159159.tif 000006
【図５】
0003159159.tif 000007
【図６】
0003159159.tif 000008
【図７】
0003159159.tif 000009
【図８】
0003159159.tif 000010
【図９】
0003159159.tif 000011
【図１０】
0003159159.tif 000012
【図１１】
0003159159.tif 000013